(57)【要約】【課題】大電流が流れることを抑制する有機ＥＬパネル用駆動装置及び表示装置を提供する。【解決手段】有機ＥＬパネル用駆動装置５０は、各ドライブラインＤ１〜Ｄｎをプリチャージ電圧源Ｖ１及びグランドＧＮＤの何れかに選択的に接続するドライブスイッチユニット＋ＳＷ１〜＋ＳＷｎを備える。ドライブスイッチユニット＋ＳＷ１〜＋ＳＷｎは、第１のスイッチＳｂ１〜Ｓｂｎと、第２のスイッチＳｃ１〜Ｓｃｎと、を備える。有機ＥＬパネル用駆動装置５０は、複数のドライブスイッチユニット＋ＳＷ１〜＋ＳＷｎのうち第１及び第２ドライブスイッチユニットについて異なるタイミングで、第１のスイッチＳｂ１〜Ｓｂｎをオフ状態からオン状態に切り替えると同時に第２のスイッチＳｃ１〜Ｓｃｎをオン状態からオフ状態に切り替えるオンオフ切り替え処理を行う。【選択図】図１
2018141852.tif 000002
【特許請求の範囲】
【請求項１】
ドットマトリクス型で、かつパッシブ駆動方式の有機ＥＬパネルを駆動する有機ＥＬパネル用駆動装置であって、
前記有機ＥＬパネルは、
互いに交差する複数の走査ライン及び複数のドライブラインと、
前記各走査ライン及び前記各ドライブラインの交差位置に接続される複数の有機ＥＬ素子と、を備え、
前記有機ＥＬパネル用駆動装置は、
前記各ドライブラインを第１陽極電圧源及びグランドの何れかに選択的に接続するドライブスイッチユニットを備え、
前記ドライブスイッチユニットは、
前記第１陽極電圧源から前記各ドライブラインまでの第１電流路を導通するオン状態及び前記第１電流路を遮断するオフ状態の何れかに切り替わる第１のスイッチと、
前記第１のスイッチに直列接続され、前記各ドライブラインから前記グランドまでの第２電流路を導通するオン状態及び前記第２電流路を遮断するオフ状態の何れかに切り替わる第２のスイッチと、を備え、
前記有機ＥＬパネル用駆動装置は、
複数の前記ドライブスイッチユニットのうち第１ドライブスイッチユニットと第２ドライブスイッチユニットについて異なるタイミングで、前記第１のスイッチを前記オフ状態から前記オン状態に切り替えると同時に前記第２のスイッチを前記オン状態から前記オフ状態に切り替えるオンオフ切り替え処理を行う、
ことを特徴とする有機ＥＬパネル用駆動装置。
【請求項２】
前記有機ＥＬパネル用駆動装置は、
前記複数の有機ＥＬ素子のうち点灯対象素子を点灯させる前に前記点灯対象素子にプリチャージ電圧を印加するべく、前記複数のドライブラインのうち前記点灯対象素子に対応する駆動対象ラインを前記第１陽極電圧源に接続しつつ前記複数の走査ラインのうち走査対象ラインを陰極電圧源に接続するプリチャージ処理と、
前記プリチャージ処理の後、前記点灯対象素子を点灯させるべく、前記駆動対象ラインに第２陽極電圧源に接続される定電流源を接続しつつ前記走査対象ラインを前記グランドに接続することで前記点灯対象素子に定電流を供給する定電流供給処理と、
前記定電流供給処理の後、前記点灯対象素子にチャージされた電荷を前記グランドに放電するべく、前記駆動対象ラインを前記グランドに接続する放電処理と、を行い、
前記放電処理から前記プリチャージ処理に移行する際に、前記第１ドライブスイッチユニットと前記第２ドライブスイッチユニットについて異なるタイミングで前記オンオフ切り替え処理を行う、
ことを特徴とする請求項１に記載の有機ＥＬパネル用駆動装置。
【請求項３】
請求項１又は２に記載の有機ＥＬパネル用駆動装置と、
前記有機ＥＬパネルと、を備える、
ことを特徴とする表示装置。
【発明の詳細な説明】
【技術分野】
【０００１】
本発明は、有機ＥＬパネル用駆動装置及び表示装置に関する。
【背景技術】
【０００２】
従来から、ドットマトリクス型で、かつパッシブ駆動方式にて駆動される有機ＥＬ（Electroluminescence）パネルが知られている。例えば、特許文献１に開示されるように、この種の有機ＥＬパネル１００は、例えば、図１０に示すように、複数のドライブラインＤ１〜Ｄｎと、ドライブラインＤ１〜Ｄｎに直交する複数の走査ラインＳ１〜Ｓｍと、ドライブラインＤ１〜Ｄｎ及び走査ラインＳ１〜Ｓｍの交差箇所に接続される複数の有機ＥＬ素子である画素Ｅ１１〜Ｅｍｎと、を備える。有機ＥＬパネル１００は駆動装置１１０により駆動される。なお、ｍ及びｎは任意の自然数である。
【０００３】
駆動装置１１０は、画素Ｅ１１〜Ｅｍｎにプリチャージ電圧を印加するべく、図１０に示すように、ドライブラインＤ１〜Ｄｎをプリチャージ電圧源Ｖ１に接続しつつ、走査ラインＳ１〜Ｓｍを陰極電圧源Ｖｃに接続する。
【０００４】
次に、駆動装置１１０は、走査ラインＳ１〜Ｓｍの何れかを走査する。例えば、走査ラインＳ２を走査する場合、図１１に示すように、駆動装置１１０は、走査ラインＳ２をグランドに接続した状態で、ドライブラインＤ１〜Ｄｎを所望の組み合わせで定電流源Ａ１〜Ａｎに接続する点灯処理を行う。これにより、定電流源Ａ１〜Ａｎから画素Ｅ２１〜Ｅ２ｎの所望の組み合わせに定電流が供給されるため、走査ラインＳ２に沿う画素Ｅ２１〜Ｅ２ｎが所望の組み合わせで点灯する。
【０００５】
画素Ｅ２１〜Ｅ２ｎの点灯後、駆動装置１１０は、例えば、図１２に示すように、画素Ｅ２１〜Ｅ２ｎにチャージされた電荷をグランドに放電する放電処理を行う。この放電処理においては、ドライブラインＤ１〜Ｄｎをグランドに接続する。これにより、画素Ｅ２１〜Ｅ２ｎは消灯される。駆動装置１１０は、１回の走査期間に占める定電流供給期間と放電期間の割合により画素Ｅ２１〜Ｅ２ｎの発光輝度を調整するＰＷＭ（Pulse Width Modulation）制御を行う。
【０００６】
ドライブラインＤ１〜Ｄｎにはドライブスイッチユニット＋ＳＷ１〜＋ＳＷｎが接続される。各ドライブスイッチユニット＋ＳＷ１〜＋ＳＷｎは、対応するドライブラインＤ１〜Ｄｎを、プリチャージ電圧源Ｖ１、グランド及び定電流源Ａ１〜Ａｎの何れかに選択的に接続させる。
【０００７】
各ドライブスイッチユニット＋ＳＷ１〜＋ＳＷｎは、図１３に示すように、第１のスイッチＳｂ１〜Ｓｂｎと、第１のスイッチＳｂ１〜Ｓｂｎに直列接続される第２のスイッチＳｃ１〜Ｓｃｎと、を備える。第１のスイッチＳｂ１〜Ｓｂｎは、プリチャージ電圧源Ｖ１から各ドライブラインＤ１〜Ｄｎまでの第１電流路を導通するオン状態、この第１電流路を遮断するオフ状態の何れかに切り替わる。第２のスイッチＳｃ１〜Ｓｃｎは、各ドライブラインＤ１〜Ｄｎからグランドまでの第２電流路を導通するオン状態、この第２電流路を遮断するオフ状態の何れかに切り替わる。
【先行技術文献】
【特許文献】
【０００８】
【特許文献１】特開２０１４−１１２１４９号公報
【発明の概要】
【発明が解決しようとする課題】
【０００９】
上記構成において、駆動装置１１０は、放電処理からプリチャージ処理に移行する際、図１４に示すように、各ドライブスイッチユニット＋ＳＷ１〜＋ＳＷｎについて、第１のスイッチＳｂ１〜Ｓｂｎをオフ状態からオン状態に切り替えると同時に第２のスイッチＳｃ１〜Ｓｃｎをオン状態からオフ状態に切り替えるオンオフ切り替え処理を行う。このオンオフ切り替え処理における時刻ｔａにおいて、第１のスイッチＳｂ１〜Ｓｂｎと第２のスイッチＳｃ１〜Ｓｃｎとが一時的に同時にオン状態となり、第１のスイッチＳｂ１〜Ｓｂｎと第２のスイッチＳｃ１〜Ｓｃｎを貫く貫通電流Ｉｔが発生する。この貫通電流Ｉｔは、全てのドライブスイッチユニット＋ＳＷ１〜＋ＳＷｎにおいて同時にプリチャージ電圧源Ｖ１からグランドに流れる。このため、貫通電流Ｉｔが大電流となり、その大電流がグランドに流れ込むため好ましくなかった。
【００１０】
本発明は、この問題に鑑みなされたものであり、大電流が流れることを抑制する有機ＥＬパネル用駆動装置及び表示装置を提供することを目的とする。
【課題を解決するための手段】
【００１１】
上記目的を達成するため、本発明の第１の観点に係る有機ＥＬパネル用駆動装置は、ドットマトリクス型で、かつパッシブ駆動方式の有機ＥＬパネルを駆動する有機ＥＬパネル用駆動装置であって、前記有機ＥＬパネルは、互いに交差する複数の走査ライン及び複数のドライブラインと、前記各走査ライン及び前記各ドライブラインの交差位置に接続される複数の有機ＥＬ素子と、を備え、前記有機ＥＬパネル用駆動装置は、前記各ドライブラインを第１陽極電圧源及びグランドの何れかに選択的に接続するドライブスイッチユニットを備え、前記ドライブスイッチユニットは、前記第１陽極電圧源から前記各ドライブラインまでの第１電流路を導通するオン状態及び前記第１電流路を遮断するオフ状態の何れかに切り替わる第１のスイッチと、前記第１のスイッチに直列接続され、前記各ドライブラインから前記グランドまでの第２電流路を導通するオン状態及び前記第２電流路を遮断するオフ状態の何れかに切り替わる第２のスイッチと、を備え、前記有機ＥＬパネル用駆動装置は、複数の前記ドライブスイッチユニットのうち第１ドライブスイッチユニットと第２ドライブスイッチユニットについて異なるタイミングで、前記第１のスイッチを前記オフ状態から前記オン状態に切り替えると同時に前記第２のスイッチを前記オン状態から前記オフ状態に切り替えるオンオフ切り替え処理を行う。
【００１２】
上記目的を達成するため、本発明の第２の観点に係る表示装置は、上記有機ＥＬパネル用駆動装置と、前記有機ＥＬパネルと、を備える。
【発明の効果】
【００１３】
本発明によれば、有機ＥＬパネル用駆動装置及び表示装置において大電流が流れることを抑制することができる。
【図面の簡単な説明】
【００１４】
【図１】本発明の一実施形態に係る（ａ）はプリチャージ期間における表示装置を示した回路図であり、（ｂ）はプリチャージ期間におけるドライブスイッチユニットの拡大図である。
【図２】本発明の一実施形態に係る（ａ）は定電流供給期間における表示装置を示した回路図であり、（ｂ）は定電流供給期間におけるドライブスイッチユニットの拡大図である。
【図３】本発明の一実施形態に係る（ａ）は放電期間における表示装置を示した回路図であり、（ｂ）は放電期間におけるドライブスイッチユニットの拡大図である。
【図４】本発明の一実施形態に係るオンオフ切り替え処理時における表示装置を示した回路図である。
【図５】本発明の一実施形態に係るオンオフ切り替え処理時における表示装置を示した回路図である。
【図６】本発明の一実施形態に係る表示コントローラによって実行される処理手順を示すフローチャートである。
【図７】本発明の一実施形態に係るプリチャージの具体的な処理手順を示すフローチャートである。
【図８】本発明の一実施形態に係るドライブライン、走査ラインに印加される電圧及びグランドに供給される電流を示すタイミングチャートである。
【図９】本発明の一実施形態に係るオンオフ切り替え処理時におけるドライブスイッチユニットの第１スイッチ及び第２スイッチのオンオフ状態及びグランドに供給される電流を示すタイミングチャートである。
【図１０】背景技術に係るプリチャージ時の表示装置を示した回路図である。
【図１１】背景技術に係る定電流供給時の表示装置を示した回路図である。
【図１２】背景技術に係る放電時の表示装置を示した回路図である。
【図１３】背景技術に係るオンオフ切り替え処理時のドライブスイッチユニットの拡大図である。
【図１４】背景技術に係るオンオフ切り替え処理時におけるドライブスイッチユニットの第１スイッチ及び第２スイッチのオンオフ状態及びグランドに供給される電流を示すタイミングチャートである。
【発明を実施するための形態】
【００１５】
本発明に係る有機ＥＬパネル用駆動装置及び表示装置の一実施形態について、図面を参照して説明する。
【００１６】
（表示装置１の構成）
図１（ａ）に示すように、表示装置１は、有機ＥＬパネル１０と、有機ＥＬパネル用駆動装置５０と、を備える。
有機ＥＬパネル１０は、ドットマトリクス型で、かつパッシブ駆動方式により駆動される。有機ＥＬパネル１０は、ｍ行ｎ列のマトリクス状に配置される有機ＥＬ素子からなる画素Ｅ１１〜Ｅｍｎと、複数の走査ラインＳ１〜Ｓｍと、複数のドライブラインＤ１〜Ｄｎと、を備える。ｍ及びｎは任意の自然数である。
【００１７】
走査ラインＳ１〜Ｓｍは、アルミニウム等の金属蒸着膜からなる。また、走査ラインＳ１〜Ｓｍは、本例では、横方向に延び、かつ縦方向に配列される。ドライブラインＤ１〜Ｄｎは、ＩＴＯ（Indium Tin Oxide）等の導電性透明膜からなる。また、ドライブラインＤ１〜Ｄｎは、本例では、走査ラインＳ１〜Ｓｍに直交し、かつ横方向に配列される。画素Ｅ１１〜Ｅｍｎは、走査ラインＳ１〜ＳｍとドライブラインＤ１〜Ｄｎとの交差箇所に接続されている。各画素Ｅ１１〜Ｅｍｎは、並列に接続されたダイオード成分及び寄生容量（コンデンサ）成分からなる等価回路で表される。
【００１８】
有機ＥＬパネル用駆動装置５０は、コントロールドライバーＩＣ（Integrated Circuit）により構成される。具体的には、有機ＥＬパネル用駆動装置５０は、陰極駆動回路２０と、陽極駆動回路３０と、表示コントローラ４０と、を備える。
【００１９】
図１（ａ）に示すように、陰極駆動回路２０は、陰極電圧源Ｖｃと、端子Ｐ１と、複数（ｍ個）の走査スイッチ−ＳＷ１〜−ＳＷｍと、を備える。端子Ｐ１は陰極駆動回路２０の外部に位置するグランドＧＮＤに接続される。複数の走査スイッチ−ＳＷ１〜−ＳＷｍはそれぞれ走査ラインＳ１〜Ｓｍの端部に接続される。走査スイッチ−ＳＷ１〜−ＳＷｍは、走査ラインＳ１〜Ｓｍを陰極電圧源Ｖｃ及びグランドＧＮＤの何れかに選択的に接続する。走査スイッチ−ＳＷ１〜−ＳＷｍの切り替えを通じて、走査ラインＳ１〜Ｓｍのうち走査対象ラインはグランドＧＮＤに接続されるとともに、走査対象ライン以外の走査ラインＳ１〜Ｓｍは陰極電圧源Ｖｃに接続される。
【００２０】
図１（ａ）に示すように、陽極駆動回路３０は、第１陽極電圧源の一例であるプリチャージ電圧源Ｖ１と、複数（ｎ個）の定電流源Ａ１〜Ａｎと、定電流源Ａ１〜Ａｎをそれぞれ駆動するための第２陽極電圧源の一例である陽極駆動電圧源Ｖ２と、複数（ｎ個）のドライブスイッチユニット＋ＳＷ１〜＋ＳＷｎと、端子Ｐ２と、を備える。
【００２１】
陽極駆動電圧源Ｖ２は、定電流源Ａ１〜Ａｎに電圧を印加する。各定電流源Ａ１〜Ａｎは、表示コントローラ４０による制御のもと、陽極駆動電圧源Ｖ２からの電圧に基づき定電流を生成する。
【００２２】
端子Ｐ２は陽極駆動回路３０の外部に位置するグランドＧＮＤに接続される。なお、グランドＧＮＤは、陰極駆動回路２０及び陽極駆動回路３０において別に構成されてもよいし共通であってもよい。
【００２３】
複数のドライブスイッチユニット＋ＳＷ１〜＋ＳＷｎは、それぞれドライブラインＤ１〜Ｄｎの端部に接続される。各ドライブスイッチユニット＋ＳＷ１〜＋ＳＷｎは、表示コントローラ４０による制御のもと、対応するドライブラインＤ１〜Ｄｎを、プリチャージ電圧源Ｖ１、グランドＧＮＤ及び対応する定電流源Ａ１〜Ａｎの何れかに選択的に接続させる。
なお、複数のドライブスイッチユニット＋ＳＷ１〜＋ＳＷｎのうち何れか一つ、例えばドライブスイッチユニット＋ＳＷ１が第１ドライブスイッチユニットに相当し、複数のドライブスイッチユニット＋ＳＷ１〜＋ＳＷｎのうち第１ドライブスイッチユニットを除く何れか一つ、例えばドライブスイッチユニット＋ＳＷ２が第２ドライブスイッチユニットに相当する。
【００２４】
図１（ｂ）に示すように、各ドライブスイッチユニット＋ＳＷ１〜＋ＳＷｎは、第１のスイッチＳｂ１〜Ｓｂｎと、第２のスイッチＳｃ１〜Ｓｃｎと、第３のスイッチＳａ１〜Ｓａｎと、を備える。第１のスイッチＳｂ１〜Ｓｂｎと第２のスイッチＳｃ１〜Ｓｃｎは直列に接続されている。第１のスイッチＳｂ１〜Ｓｂｎはプリチャージ電圧源Ｖ１側に位置し、第２のスイッチＳｃ１〜ＳｃｎはグランドＧＮＤ側に位置する。第１のスイッチＳｂ１〜Ｓｂｎと第２のスイッチＳｃ１〜Ｓｃｎの間には第２接点Ｑ２が接続されている。
【００２５】
第１のスイッチＳｂ１〜Ｓｂｎ及び第２のスイッチＳｃ１〜Ｓｃｎは、ＦＥＴ（Field Effect Transistor）等のスイッチング素子からなる。第１のスイッチＳｂ１〜Ｓｂｎは、表示コントローラ４０による制御のもと、プリチャージ電圧源Ｖ１及び第２接点Ｑ２間の第１電流路Ｃ１（図１（ｂ）参照）を導通するオン状態と、第１電流路Ｃ１を電気的に遮断するオフ状態との間で切り替わる。
【００２６】
第２のスイッチＳｃ１〜Ｓｃｎは、表示コントローラ４０による制御のもと、第２接点Ｑ２及びグランドＧＮＤ間の第２電流路Ｃ２（図３（ｂ）参照）を導通するオン状態と、第２電流路Ｃ２を電気的に遮断するオフ状態との間で切り替わる。
【００２７】
複数の第３のスイッチＳａ１〜Ｓａｎは、それぞれドライブラインＤ１〜Ｄｎの端部に接続される。第３のスイッチＳａ１〜Ｓａｎは、表示コントローラ４０による制御のもと、第２接点Ｑ２と各定電流源Ａ１〜Ａｎに接続される第１接点Ｑ１の何れかに選択的に接続される。
【００２８】
次に、後述するプリチャージ時、定電流供給時、放電時における各ドライブスイッチユニット＋ＳＷ１〜＋ＳＷｎの状態について説明する。
図１（ａ）に示すように、後述するプリチャージ時においては、各ドライブスイッチユニット＋ＳＷ１〜＋ＳＷｎはドライブラインＤ１〜Ｄｎをプリチャージ電圧源Ｖ１に接続する。このとき、図１（ｂ）に示すように、第３のスイッチＳａ１〜Ｓａｎが第２接点Ｑ２に接続され、第１のスイッチＳｂ１〜Ｓｂｎがオン状態に設定され、第２のスイッチＳｃ１〜Ｓｃｎがオフ状態に設定される。
【００２９】
図２（ａ）に示すように、後述する定電流供給時においては、各ドライブスイッチユニット＋ＳＷ１〜＋ＳＷｎはドライブラインＤ１〜Ｄｎを定電流源Ａ１〜Ａｎに接続する。このとき、図２（ｂ）に示すように、第３のスイッチＳａ１〜Ｓａｎが第１接点Ｑ１に接続され、第１のスイッチＳｂ１〜Ｓｂｎ及び第２のスイッチＳｃ１〜Ｓｃｎがオフ状態に設定される。
【００３０】
図３（ａ）に示すように、後述する放電時においては、各ドライブスイッチユニット＋ＳＷ１〜＋ＳＷｎはドライブラインＤ１〜ＤｎをグランドＧＮＤに接続する。このとき、図３（ｂ）に示すように、第３のスイッチＳａ１〜Ｓａｎが第２接点Ｑ２に接続され、第１のスイッチＳｂ１〜Ｓｂｎがオフ状態に設定され、第２のスイッチＳｃ１〜Ｓｃｎがオン状態に設定される。
【００３１】
ドライブスイッチユニット＋ＳＷ１〜＋ＳＷｎは、放電処理からプリチャージ処理に移行する際、表示コントローラ４０による制御のもと、オンオフ切り替え処理を行う。オンオフ切り替え処理は、図９に示すように、第１のスイッチＳｂ１〜Ｓｂｎがオフ状態からオン状態に切り替えられると同時に、第２のスイッチＳｃ１〜Ｓｃｎがオン状態からオフ状態に切り替えられる処理である。表示コントローラ４０は、ドライブスイッチユニット＋ＳＷ１〜＋ＳＷｎ毎に異なるタイミングでオンオフ切り替え処理を行う。このオンオフ切り替え処理における時刻ｔ１〜ｔ３において、第１のスイッチＳｂ１〜Ｓｂｎと第２のスイッチＳｃ１〜Ｓｃｎとが一時的に同時にオン状態となり、第１のスイッチＳｂ１〜Ｓｂｎと第２のスイッチＳｃ１〜Ｓｃｎを貫く貫通電流Ｉｔ１〜Ｉｔ３が発生する。
【００３２】
表示コントローラ４０は、走査スイッチ−ＳＷ１〜−ＳＷｍ及びドライブスイッチユニット＋ＳＷ１〜＋ＳＷｎを制御することで、画素Ｅ１１〜Ｅｍｎの点灯制御を行う。表示コントローラ４０は、外部から画像データを受けて、その画像データに応じた画像を表示するため画素Ｅ１１〜Ｅｍｎを所定の組み合わせ及び輝度にて点灯させる。この画像データは、各画素Ｅ１１〜Ｅｍｎの点灯の有無及び点灯させる画素Ｅ１１〜Ｅｍｎの輝度に係る情報を含む。
【００３３】
（表示コントローラ４０の制御手順）
表示コントローラ４０の制御手順について、図６のフローチャートに沿って説明する。このフローチャートは、有機ＥＬパネル１０に画像を表示する期間において繰り返し実行される。
【００３４】
まず、表示コントローラ４０はプリチャージを行う（Ｓ１０１）。具体的には、プリチャージの際、表示コントローラ４０は、図１（ａ）に示すように、ドライブスイッチユニット＋ＳＷ１〜＋ＳＷｎを介してドライブラインＤ１〜Ｄｎをプリチャージ電圧源Ｖ１に接続し、走査スイッチ−ＳＷ１〜−ＳＷｍを介して走査ラインＳ１〜Ｓｍを陰極電圧源Ｖｃに接続する。これにより、各画素Ｅ１１〜Ｅｍｎにプリチャージ電圧が印加される。
【００３５】
次に、表示コントローラ４０は、走査ラインＳ１〜Ｓｍの何れかの走査ラインＳｘの走査を開始する（Ｓ１０２）。ｘは変数であり、１〜ｍの何れかの自然数である。当該フローチャートの開始後、最初のステップＳ１０２においては、例えばｘ＝１、すなわち走査ラインＳｘは走査ラインＳ１である。図２（ａ）の例では、画素Ｅ２１〜Ｅ２ｎを点灯させるために走査対象ラインとして走査ラインＳ２が走査されている。このとき、表示コントローラ４０は、走査スイッチ−ＳＷ２を介して走査対象ラインである走査ラインＳ２をグランドＧＮＤに接続し、走査スイッチ−ＳＷ１，−ＳＷ３〜−ＳＷｍを介して走査対象ライン以外の走査ラインＳ１，Ｓ３〜Ｓｍを陰極電圧源Ｖｃに接続する。
【００３６】
表示コントローラ４０は、走査ラインＳｘに沿う画素Ｅ１１〜Ｅｍｎの所望の組み合わせに定電流を供給する（Ｓ１０３）。図２（ａ）の例では、表示コントローラ４０は、ドライブスイッチユニット＋ＳＷ１〜＋ＳＷ３を介して駆動対象ラインとしてのドライブラインＤ１〜Ｄ３を定電流源Ａ１〜Ａ３に接続する。これにより、定電流源Ａ１〜Ａ３から画素Ｅ２１〜Ｅ２３に電流が流れて、点灯対象素子である画素Ｅ２１〜Ｅ２３が点灯する。例えば、走査ラインＳ２の走査中に画素Ｅ２１〜Ｅ２ｎのうち画素Ｅ２ｎを点灯させない場合、表示コントローラ４０は、ドライブスイッチユニット＋ＳＷｎを介してドライブラインＤｎをグランドＧＮＤに接続する。このようにして、走査ラインＳｘに沿う画素Ｅ１１〜Ｅｍｎを所望の組み合わせで点灯させる。
なお、上記ステップＳ１０２，Ｓ１０３の処理は同時に行われてもよい。
【００３７】
次に、表示コントローラ４０は、走査ラインＳｘに沿う画素Ｅ１１〜Ｅｍｎにチャージされた電荷を放電する（Ｓ１０４）。このとき、図３（ａ）の例では、表示コントローラ４０は、走査ラインＳ１〜Ｓｍの接続状態を維持しつつ、ドライブスイッチユニット＋ＳＷ１〜＋ＳＷｎを介してドライブラインＤ１〜ＤｎをグランドＧＮＤに接続する。これにより、画素Ｅ２１〜Ｅ２３にチャージされた電荷がグランドＧＮＤに流れ、画素Ｅ２１〜Ｅ２３が消灯する。表示コントローラ４０は、図８に示すように、走査期間Ｔａｌに占める定電流供給期間Ｔｏｎの割合であるオンデューティ比を調整する、すなわちＰＷＭ制御により画素Ｅ２１〜Ｅ２ｎの輝度を調整する。表示コントローラ４０は、定電流供給期間Ｔｏｎにわたって上記ステップＳ１０３に係る定電流を供給し、放電期間Ｔｏｆｆにわたって上記ステップＳ１０４に係る放電を行う。オンデューティ比が１００％である場合には、上記ステップＳ１０４に係る放電は行われず、定電流供給期間Ｔｏｎは走査期間Ｔａｌと同一の期間となる。
【００３８】
これにて、表示コントローラ４０は、走査ラインＳｘの走査を終了し（Ｓ１０５）、次に全ての走査ラインＳ１〜Ｓｍの走査が完了したか否かを判別する（ステップＳ１０６）。表示コントローラ４０は、全ての走査ラインＳ１〜Ｓｍの走査が完了していない旨判別したとき（ステップＳ１０６：ＮＯ）、ｘに１を加算するカウントアップを行う（ステップＳ１０７）。その後、再度のプリチャージを行い（ステップＳ１０１）、次の走査ラインＳｘ＋１についてステップＳ１０２〜Ｓ１０５に係る処理を行う。すなわち、全ての走査ラインＳ１〜Ｓｍの走査が完了するまで、ステップＳ１０１〜Ｓ１０７の処理が繰り返されることで走査ラインＳ１〜Ｓｍが順に走査され、走査対象ラインに沿う画素Ｅ１１〜Ｅｍｎが点灯される。
【００３９】
表示コントローラ４０は、全ての走査ラインＳ１〜Ｓｍの走査が完了した旨判別したとき（ステップＳ１０６：ＹＥＳ）、当該フローチャートに係る処理を終了する。
【００４０】
次に、図７のフローチャートを参照しつつ、ステップＳ１０１に係るプリチャージの具体的な処理内容について説明する。
表示コントローラ４０は、ドライブスイッチユニット＋ＳＷ１〜＋ＳＷｎのうち何れかのドライブスイッチユニット＋ＳＷｙについて上述したオンオフ切り替え処理を行う（Ｓ２０１）。ｙは変数であり、１〜ｍの何れかの自然数である。図４に例示するように、ｙ＝１の場合、表示コントローラ４０は、ドライブスイッチユニット＋ＳＷ１についてオンオフ切り替え処理を行う。このオンオフ切り替え処理の際、後述するように、貫通電流Ｉｔ１が端子Ｐ２を経てグランドＧＮＤに流れる。
【００４１】
次に、表示コントローラ４０は、全てのドライブスイッチユニット＋ＳＷ１〜＋ＳＷｎについてオンオフ切り替え処理が完了したか否かを判別し（Ｓ２０２）、全てのドライブスイッチユニット＋ＳＷ１〜＋ＳＷｎについてオンオフ切り替え処理が完了していない旨判別したとき（Ｓ２０２：ＮＯ）、ｙに１を加算するカウントアップを行う（ステップＳ２０３）。そして、前回のステップＳ１０１に係るオンオフ切り替え処理から一定時間Ｔ１が経過したとき（Ｓ２０４）、次のドライブスイッチユニット＋ＳＷｙ＋１についてオンオフ切り替え処理を行う（Ｓ２０１）。図５に例示するように、ｙ＝２の場合、表示コントローラ４０は、ドライブスイッチユニット＋ＳＷ２についてオンオフ切り替え処理を行う。このオンオフ切り替え処理の際、後述するように、貫通電流Ｉｔ２が端子Ｐ２を経てグランドＧＮＤに流れる。
このように全てのドライブスイッチユニット＋ＳＷ１〜＋ＳＷｎのオンオフ切り替え処理が完了するまで、ステップＳ２０１〜Ｓ２０４が繰り返されることで、全てのドライブスイッチユニット＋ＳＷ１〜＋ＳＷｎのオンオフ切り替え処理がそれぞれ異なるタイミングで行われる。
【００４２】
表示コントローラ４０は、全てのドライブスイッチユニット＋ＳＷ１〜＋ＳＷｎについてオンオフ切り替え処理が完了した旨判別したとき（Ｓ２０２：ＹＥＳ）、当該フローチャートに係る処理を終了し、図６のステップＳ１０２に係る処理に移行する。
【００４３】
次に、図８のタイミングチャートを参照しつつ、各ドライブラインＤ１〜Ｄ３における放電期間Ｔｏｆｆ、プリチャージ期間Ｔｐｒ及び定電流供給期間Ｔｏｎのタイミング、走査ラインＳ１〜Ｓ３の走査タイミングを説明する。
【００４４】
各ドライブラインＤ１〜Ｄ３においては、プリチャージ期間Ｔｐｒにわたってプリチャージが行われ、定電流供給期間Ｔｏｎにわたって定電流が供給され、放電期間Ｔｏｆｆにわたって放電が行われる。プリチャージ、定電流供給及び放電は繰り返し行われる。
走査ラインＳ１〜Ｓ３は、それぞれ異なるタイミングで順に、走査期間ＴａｌにわたってグランドＧＮＤに接続される。これにより、走査期間Ｔａｌにわたって走査ラインＳ１〜Ｓ３のうち走査対象ラインを０Ｖに維持する。
【００４５】
プリチャージ期間Ｔｐｒの開始時刻はドライブラインＤ１〜Ｄ３毎に異なる。プリチャージ期間Ｔｐｒの開始時刻にて、ドライブスイッチユニット＋ＳＷ１〜＋ＳＷ３を通じてオンオフ切り替え処理が行われる。ドライブスイッチユニット＋ＳＷ１のオンオフ切り替え処理により時刻ｔ１において貫通電流Ｉｔ１が発生する。また、ドライブスイッチユニット＋ＳＷ２のオンオフ切り替え処理により上記時刻ｔ１から一定時間Ｔ１が経過した時刻ｔ２において貫通電流Ｉｔ２が発生する。また、ドライブスイッチユニット＋ＳＷ３のオンオフ切り替え処理により上記時刻ｔ２から一定時間Ｔ１が経過した時刻ｔ３において貫通電流Ｉｔ３が発生する。ドライブスイッチユニット＋ＳＷ４以降についてのオンオフ切り替え処理もこれと同様に異なるタイミングで行われることで貫通電流を異なるタイミングに発生させる。これにより、貫通電流を分散させることができるため、端子Ｐ２及びグランドＧＮＤに大電流が流れることが抑制される。
【００４６】
（効果）
以上、説明した一実施形態によれば、特に、以下の効果を奏する。
【００４７】
（１）有機ＥＬパネル用駆動装置５０は、ドットマトリクス型で、かつパッシブ駆動方式の有機ＥＬパネル１０を駆動する。有機ＥＬパネル１０は、互いに交差する複数の走査ラインＳ１〜Ｓｍ及び複数のドライブラインＤ１〜Ｄｎと、各走査ラインＳ１〜Ｓｍ及び各ドライブラインＤ１〜Ｄｎの交差位置に接続される複数の有機ＥＬ素子である画素Ｅ１１〜Ｅｍｎと、を備える。有機ＥＬパネル用駆動装置５０は、各ドライブラインＤ１〜Ｄｎをプリチャージ電圧源Ｖ１及びグランドＧＮＤの何れかに選択的に接続するドライブスイッチユニット＋ＳＷ１〜＋ＳＷｎを備える。ドライブスイッチユニット＋ＳＷ１〜＋ＳＷｎは、プリチャージ電圧源Ｖ１から各ドライブラインＤ１〜Ｄｎまでの第１電流路Ｃ１を導通するオン状態及び第１電流路Ｃ１を遮断するオフ状態の何れかに切り替わる第１のスイッチＳｂ１〜Ｓｂｎと、第１のスイッチＳｂ１〜Ｓｂｎに直列接続され、各ドライブラインＤ１〜ＤｎからグランドＧＮＤまでの第２電流路Ｃ２を導通するオン状態及び第２電流路Ｃ２を遮断するオフ状態の何れかに切り替わる第２のスイッチＳｃ１〜Ｓｃｎと、を備える。有機ＥＬパネル用駆動装置５０は、複数のドライブスイッチユニット＋ＳＷ１〜＋ＳＷｎのうち第１ドライブスイッチユニット（例えばドライブスイッチユニット＋ＳＷ１）と第２ドライブスイッチユニット（例えばドライブスイッチユニット＋ＳＷ２）について異なるタイミングで、第１のスイッチＳｂ１〜Ｓｂｎをオフ状態からオン状態に切り替えると同時に第２のスイッチＳｃ１〜Ｓｃｎをオン状態からオフ状態に切り替えるオンオフ切り替え処理を行う。
この構成によれば、複数のドライブスイッチユニット＋ＳＷ１〜＋ＳＷｎのうち第１ドライブスイッチユニットと第２ドライブスイッチユニットについて異なるタイミングでオンオフ切り替え処理が行われる。このため、オンオフ切り替え処理により貫通電流Ｉｔ１，Ｉｔ２を分散させることができる。これにより、有機ＥＬパネル用駆動装置５０におけるグランドＧＮＤに接続される端子Ｐ２に大電流が流れることが抑制される。
この端子Ｐ２は、例えば、有機ＥＬパネル用駆動装置５０を構成するＩＣのグランド用のバンプである。このバンプは、導電性粒子を含むＡＣＦ（Anisotropic Conductive Film）又はＡＣＰ（Anisotropic Conductive Paste）を介してグランドＧＮＤに接続される。この導電性粒子は許容電流が小さいことから、上記のような大電流の抑制は特に有益である。
また、大電流が抑制されることで、大電流に耐えるように端子Ｐ２及びグランドＧＮＤに繋がる接続線等のサイズを大きくする必要がないことから、有機ＥＬパネル用駆動装置５０、ひいては表示装置１の小型化を図ることができる。さらに、大電流が抑制されることで、有機ＥＬパネル用駆動装置５０から発する電磁ノイズを低減することができる。これら表示装置１の小型化及び電磁ノイズの低減は、特に表示装置１が車載される場合に有益である。
【００４８】
（２）有機ＥＬパネル用駆動装置５０は、定電流供給処理と、放電処理と、プリチャージ処理と、を順に行う。
プリチャージ処理は、画素Ｅ１１〜Ｅｍｎのうち点灯対象素子（図２の例では画素Ｅ２１〜２３）を点灯させる前に点灯対象素子にプリチャージ電圧を印加するべく、図３に示すように、複数のドライブラインＤ１〜Ｄｎのうち少なくとも点灯対象素子に対応する駆動対象ライン（図２の例ではドライブラインＤ１〜Ｄ３）をプリチャージ電圧源Ｖ１に接続しつつ複数の走査ラインＳ１〜Ｓｍのうち走査対象ライン（図２の例では走査ラインＳ２）を陰極電圧源Ｖｃに接続する。
定電流供給処理は、プリチャージ処理の後、図２に示すように、画素Ｅ１１〜Ｅｍｎのうち点灯対象素子を点灯させるべく、複数のドライブラインＤ１〜Ｄｎのうち駆動対象ラインに陽極駆動電圧源Ｖ２に接続される定電流源Ａ１〜Ａｎを接続しつつ複数の走査ラインＳ１〜Ｓｍのうち走査対象ラインをグランドＧＮＤに接続することで点灯対象素子に定電流を供給する。
放電処理は、定電流供給処理の後、図３に示すように、画素Ｅ１１〜Ｅｍｎのうち点灯対象素子にチャージされた電荷をグランドＧＮＤに放電するべく、複数のドライブラインＤ１〜Ｄｎのうち少なくとも駆動対象ラインをグランドＧＮＤに接続する。
有機ＥＬパネル用駆動装置５０は、放電処理からプリチャージ処理に移行する際に、第１ドライブスイッチユニット（例えばドライブスイッチユニット＋ＳＷ１）と第２ドライブスイッチユニット（例えばドライブスイッチユニット＋ＳＷ２）について異なるタイミングでオンオフ切り替え処理を行う。
この構成によれば、放電処理からプリチャージ処理に移行する際に大電流の貫通電流が流れることが抑制される。
【００４９】
（変形例）
なお、上記実施形態は、これを適宜変更した以下の形態にて実施することができる。
【００５０】
上記実施形態においては、表示コントローラ４０は、ドライブスイッチユニット＋ＳＷ１〜＋ＳＷｎのオンオフ切り替え処理をそれぞれ異なるタイミングで行っていた。しかし、複数のドライブスイッチユニット＋ＳＷ１〜＋ＳＷｎを複数のグループに分けて、表示コントローラ４０は、グループ毎にオンオフ切り替え処理を異なるタイミングで行ってもよい。この構成によれば、迅速にプリチャージを行うことができる。
【００５１】
上記実施形態においては、図６のフローチャートを開始した直後のステップ１０１に係るプリチャージにおいても、図７のフローチャートに沿ってドライブスイッチユニット＋ＳＷ１〜＋ＳＷｎ毎に異なるタイミングでオンオフ切り替え処理が行われていた。しかし、図６のフローチャートを開始した直後のステップ１０１においては、複数のドライブスイッチユニット＋ＳＷ１〜＋ＳＷｎについて同時にオンオフ切り替え処理が行われ、ステップＳ１０７を経た２回目以降のステップ１０１に係るプリチャージにおいては図７のフローチャートに沿ってドライブスイッチユニット＋ＳＷ１〜＋ＳＷｎ毎に異なるタイミングでオンオフ切り替え処理が行われてもよい。
【００５２】
上記実施形態においては、ドライブスイッチユニット＋ＳＷ１，＋ＳＷ２，＋ＳＷ３…の順番でオンオフ切り替え処理が行われていたが、この順番はこれに限らず、適宜変更可能である。
【００５３】
上記実施形態においては、プリチャージ時に全ての画素Ｅ１１〜Ｅｍｎにプリチャージ電圧が印加されていたが、画素Ｅ１１〜Ｅｍｎのうち点灯対象素子のみにプリチャージ電圧が印加されてもよい。
【００５４】
上記実施形態においては、有機ＥＬパネル用駆動装置５０は、放電処理からプリチャージ処理に移行する際に、ドライブスイッチユニット＋ＳＷ１〜＋ＳＷｎ毎に異なるタイミングでオンオフ切り替え処理を行っていたが、ドライブラインＤ１〜Ｄｎの接続対象をプリチャージ電圧源Ｖ１からグランドＧＮＤに切り替えるタイミングであればオンオフ切り替え処理を行うタイミングはこれに限定されない。
【符号の説明】
【００５５】
１  表示装置
１０  有機ＥＬパネル
２０  陰極駆動回路
２２  走査スイッチ
３０  陽極駆動回路
４０  表示コントローラ
５０  有機ＥＬパネル用駆動装置
Ａ１〜Ａｎ  定電流源
Ｄ１〜Ｄｎ  ドライブライン
Ｅ１１〜Ｅｍｎ  画素
Ｓ１〜Ｓｍ  走査ライン
Ｐ１，Ｐ２  端子
＋ＳＷ１〜＋ＳＷｎ  ドライブスイッチユニット
Ｓｂ１〜Ｓｂｎ  第１のスイッチ
Ｓｃ１〜Ｓｃｎ  第２のスイッチ
Ｓａ１〜Ｓａｎ  第３のスイッチ
−ＳＷ１〜−ＳＷｍ  走査スイッチ
【図１】
2018141852.tif 000003
【図２】
2018141852.tif 000004
【図３】
2018141852.tif 000005
【図４】
2018141852.tif 000006
【図５】
2018141852.tif 000007
【図６】
2018141852.tif 000008
【図７】
2018141852.tif 000009
【図８】
2018141852.tif 000010
【図９】
2018141852.tif 000011
【図１０】
2018141852.tif 000012
【図１１】
2018141852.tif 000013
【図１２】
2018141852.tif 000014
【図１３】
2018141852.tif 000015
【図１４】
2018141852.tif 000016